(57)【要約】【課題】  別々に成形されたハブと羽根との結合力を大きくした軸流ファンを提供すること。【解決手段】  軸受部１３を備えた樹脂一体成形のハブ１と、筒状基部２２に対し複数の羽根２１が樹脂一体成形された羽根体２とから構成される所謂分割組みたて式の軸流ファンであり、ハブ１を羽根体２の筒状基部２２内に嵌入して一体に結合したものである。本発明の軸流ファンは、このように構成されていることにより、力が作用する結合部としてハブ１の外周側面全体を利用することができるので、結合力を大きくすることができる。【選択図】      図６
2006161757.tif 000002
【特許請求の範囲】
【請求項１】
軸受部を備えた樹脂一体成形のハブと、筒状基部に対し複数の羽根が樹脂一体成形された羽根体とを有し、前記ハブが羽根体の筒状基部内に嵌入されて一体に結合されてなることを特徴とする軸流ファン。
【請求項２】
円筒状の外壁部の内部に軸心に直角の内壁部を有し、この内壁部に軸受部を形成した樹脂一体成形のハブと、円筒状基部に対し複数の羽根が結合された樹脂一体成形の羽根体とを有し、前記ハブは吸気側端面にドーナツ型壁部を備え、前記羽根体は、円筒状基部の吸気側端に径方向の幅寸法が前記ドーナツ型壁部の径方向の幅寸法と略同一の内向き鍔状壁部を有し、さらに、羽根体の内向き鍔状壁部がハブのドーナツ型壁部に当接するように、ハブが羽根体の円筒状基部内に嵌入されて、両者が一体に結合されてなることを特徴とする軸流ファン。
【請求項３】
前記羽根体の内向き鍔状壁部とハブのドーナツ型壁部とは、何れか一方に軸方向のピンが、また、他方にはこのピンが挿入されるピン孔がそれぞれ形成され、該ピン孔に前記ピンが挿入されていることを特徴とする請求項２記載の軸流ファン。
【請求項４】
前記ピンは羽根体の内向き鍔状壁部から軸方向にハブのドーナツ型壁部に向けて突出するように形成され、前記ピン孔は前記ドーナツ型壁部を貫通するように形成され、前記ピンはドーナツ型壁部に形成されたピン孔を貫通して当該ドーナツ型壁部から突出するように構成されるとともに、その先端部が加熱により押しつぶされてカシメ部２５ａが形成されていることを特徴とする請求項３記載の軸流ファン。
【請求項５】
前記羽根体は、内向き鍔状壁部の内周側縁部からドーナツ型壁部の内周側に嵌り込むように排気側に折り返す折返壁部を有することを特徴とする請求項２〜４の何れか１項記載の軸流ファン。
【請求項６】
前記ハブの排気側端縁には外側にＵ字状溝部が一体に形成され、前記羽根体における円筒状基部の排気側端縁が吸気側からこの溝部に嵌り込むように、羽根体とハブとが結合されていることを特徴とする請求項１〜５の何れか１項に記載の軸流ファン。
【請求項７】
前記ハブと前記羽根体とは、羽根が前記円筒状基部に結合される根元部付近の、ハブの円筒状の外壁部の外周面と羽根体の円筒状基部の内周面との間において、羽根体の円筒状基部側には周方向に螺旋階段状を成すように軸方向の突部が形成され、一方、ハブの円筒状の外壁部には周方向に螺旋階段状を成すように前記突部を嵌入させるこの溝部が形成され、前記突部が溝部に嵌入されて結合されていることを特徴とする請求項１〜６の何れか１項に記載の軸流ファン。
【請求項８】
前記ハブは、軸受部を備えた内壁部の排気側において、円筒状内に当該内壁部と円筒状の外壁部とを結合する放射状のリブが複数形成されていることを特徴とする請求項２〜７の何れか１項に記載の軸流ファン。
【請求項９】
前記ハブと前記羽根体とは、異種材料により形成されてなり、ハブの樹脂材料が羽根体の樹脂材料より強度的に強い材料からなることを特徴とする請求項１〜８の何れか１項に記載の軸流ファン。
【請求項１０】
前記ハブは汎用エンプラからなり、前記羽根体は汎用プラスチック材料からなることを特徴とする請求項９記載の軸流ファン。
【請求項１１】
前記ハブと前記羽根体とは、軸方向に直交する接触面において樹脂溶着法により溶着されていることを特徴とする請求項２〜１０の何れか１項に記載の軸流ファン。
【請求項１２】
前記ハブと前記羽根体とは、相互の接触面において接着剤により接合されていることを特徴とする請求項２〜１０の何れか１項に記載の軸流ファン。
【発明の詳細な説明】
【技術分野】
【０００１】
本発明は、プロペラファンなどの軸流ファンに係り、特に、それぞれ別個に樹脂一体成形されたハブと羽根体とを組み合わせて形成する、所謂分割組合せ方式の軸流ファンに関する。
【背景技術】
【０００２】
樹脂成形の軸流ファンとして、成形金型を簡略化しながら理想形状の羽根を得るためなどの理由で、ハブと羽根体とを別々に成形し、両者を組合せて軸流ファンを形成するものが提案されている。このような軸流ファンとしては、例えば特許文献１に記載されたものがある。この従来技術では、別個に形成されたハブと羽根体との結合は次のような手段により行われていた。すなわち、この軸流ファンにおける主要な固定手段は、有底円筒状のハブの底壁に軸受けを形成するとともに、ハブの底壁の軸受周りの部分に小径の円盤状突部（固定部）を形成し、一方、複数枚の羽根を一体成形した羽根体中央部の孔部にこの円盤状突部を嵌入して固定するものであった。また、第２の手段は、第１の手段と共に用いられているが、前述のハブの底壁における円盤状突部の周囲にピン孔を設け、羽根体にこのピン孔に潜入するピンを設け、このピンをピン孔に係合するものであった。
【特許文献１】特許３５００２９２号公報  （第１図、第２図、第４図）、
【発明の開示】
【発明が解決しようとする課題】
【０００３】
一般的に、軸流ファンでは、軸部に対し羽根の回転に伴い発生する遠心力や羽根に作用する空気力によるモーメントが生起される。しかしながら、上記従来の軸流ファンにおける第１の手段は、固定部が小径で突出高さが小さいためこれら力に対する支持部としては強固のものではなかった。また、第２の手段であるピンとピン孔の係合も、力の支持面を大きく形成できないため、ハブとの羽根体との結合強度を強くすることができないというも問題があった。
【０００４】
本発明は、このような背景に基づきなされたものであって、別々に成形されたハブと羽根との結合力を大きくした軸流ファンを提供することを目的とする。
【課題を解決するための手段】
【０００５】
本発明に係る軸流ファンは、軸受部を備えた樹脂一体成形のハブと、筒状基部に対し複数の羽根が樹脂一体成形された羽根体とを有し、前記ハブが羽根体の筒状基部内に嵌入されて一体に結合されてなることを特徴とする。本発明の軸流ファンは、このように構成されていることにより、力が作用する結合部としてハブの外周側面全体を利用することができるので、結合力を大きくすることができる。
【０００６】
また、本発明に係る軸流ファンは、円筒状の外壁部の内部に軸心に直角の内壁部を有し、この内壁部に軸受部を形成した樹脂一体成形のハブと、円筒状基部に対し複数の羽根が結合された樹脂一体成形の羽根体とを有し、前記ハブは吸気側端面にドーナツ型壁部を備え、前記羽根体は、円筒状基部の吸気側端に径方向の幅寸法が前記ドーナツ型壁部の径方向の幅寸法と略同一の内向き鍔状壁部を有し、さらに、羽根体の内向き鍔状壁部がハブのドーナツ型壁部に当接するように、ハブが羽根体の円筒状基部内に嵌入されて、両者が一体に結合されてなることを特徴とする。このようにすると、ハブの円筒状の外壁部の外周側面と羽根体の円筒状基部の内周面との接触面と、ハブの吸気側端面に形成されるドーナツ型壁部と羽根体の内向き鍔上壁部との接触面とが力を受ける結合部として利用することができるので、結合力をより一層大きくすることができる。
【０００７】
また、本発明においては、前記羽根体の内向き鍔状壁部とハブのドーナツ型壁部とは、何れか一方に軸方向のピンが、また、他方にはこのピンが挿入されるピン孔がそれぞれ形成され、該ピン孔に前記ピンが挿入されている構造としてもよい。このように構成すれば、ピン結合が付加されるので、さらに強固にハブと羽根体とを結合することができる。
【０００８】
また、前記ピン孔は前記ドーナツ型壁部を貫通するように形成され、前記ピンはドーナツ型壁部に形成されたピン孔を貫通して当該ドーナツ型壁部から突出するように形成されるとともに、その先端部が加熱により押しつぶされてカシメ部が形成されているように構成してもよい。このように構成すれば、ハブと羽根体との軸方向の結合が強固に行われる。特に、ハブと羽根体とを異種材料とした場合に、樹脂溶着法が使用できないが、この方法で軸方向を結合することができる。
【０００９】
また、前記羽根体は、内向き鍔状壁部の内周側縁部からドーナツ型壁部の内周側に嵌り込むように排気側に折り返す折返壁部を有するようにしてもよい。このように構成すれば、遠心力に対する強度が向上し、ハブと羽根体の結合力をさらに向上させることができる。
【００１０】
また、前記ハブの排気側端縁には外側にＵ字状溝部が一体に形成され、前記羽根体における円筒状基部の排気側端縁が吸気側から溝部に嵌り込むように、羽根体とハブとが結合されている構成としてもよい。このようにすれば、羽根体の排気側端縁部付近におけるハブとの結合力が向上し、羽根の重量による遠心力及び送風作用による空気力が羽根を介して軸部に作用するモーメントに対し効果を発揮することができる。
【００１１】
また、前記ハブと前記羽根体とは、羽根が前記円筒状基部に結合される根元部付近の、ハブの円筒状の外壁部の外周面と羽根体の円筒状基部の内周面との間において、羽根体の円筒状基部側には周方向に螺旋階段状を成すように軸方向の突部が形成され、一方、ハブの円筒状の外壁部には周方向に螺旋階段状を成すように前記突部を嵌入させる溝部が形成され、前記突部がこの溝部に嵌入されて結合されている構成としてもよい。このようにすれば、羽根体とハブとの径方向における結合力が向上し、羽根の重量に対する遠心力及び送風作用による空気力が羽根を介して軸部に作用するモーメントの双方に対しての結合力をさらに向上させることができる。
【００１２】
また、前記ハブは、軸受部を備えた内壁部の排気側において、円筒状内に当該内壁部と円筒状の外壁とを結合する放射状のリブを複数形成してもよい。このようにすれば、ハブの肉厚を薄くして強度を維持することができるので、生産性を向上することができる。
【００１３】
また、前記ハブと前記羽根体とは、異種材料により形成されてなり、ハブの樹脂材料が羽根体の樹脂材料より強度的に強い材料からなるように構成してもよい。ハブは全周に作用する遠心力を支持し、更には羽根に作用する空気力をも全て支持する必要があるので、羽根に比しより大きな力が作用する。したがって、ハブには羽根より高価な高強度材料を使うことが好ましい。本発明ではこのような技術思想を実現するものとしてハブ材料と羽根材料とを異ならせることもできる。また、このような材料としては、ハブには汎用エンプラが好ましく、羽根体には汎用プラスチック材料に構成すると経済的で強度の大きい羽根体を構成することができる。
【００１４】
また、前記ハブと前記羽根体とは、軸方向に直交する接触面において超音波接着して生産性を向上させることができる。
また、前記ハブと前記羽根体とは、相互の接触面において接着剤により接合することもできる。このようにすれば、強固にハブと羽根体とを結合することができる。
【発明の効果】
【００１５】
本発明に係る軸流ファンは、軸受部を備えた樹脂一体成形のハブと、筒状基部に対し複数の羽根が樹脂一体成形された羽根体とを有し、このハブを羽根体の筒状基部内に嵌入して一体に結合しているので、ハブ外周の側面全体を結合部として利用することができるので、結合力を大きくすることができる。
【発明を実施するための最良の形態】
【００１６】
以下に、本発明を具体化した実施の形態１に係る軸流ファンを図１〜図７を参照しながら説明する。なお、図１は本発明の実施の形態１に係る軸流ファンの吸気側から見た平面図であり、図２は図１におけるＡ−Ａ断面図であり、図３は同軸流ファンを構成する羽根体の吸気側から見た斜視図であり、図４は同軸流ファンを構成するハブの吸気側から見た斜視図であり、図５は同ハブの排気側から見た斜視図である。また、図６は同軸流ファンの組立要領説明図であり、（ａ）は羽根体とハブの組立直前の状態を示した断面図であり、（ｂ）は羽根体とハブの組立後の状態を示した断面図であって、（ｃ）におけるＢ−Ｂ断面図であり、（ｃ）は組立後の吸気側から見た平面図である。また、図７は同軸流ファンの羽根体に作用する力の方向を示したものであり、（ａ）は運転時における羽根体の遠心力の作用方向を示し、（ｂ）は羽根に作用する流体の圧力による空気力の作用方向を示す。
【００１７】
本発明に係る軸流ファンは、図１及び図２からわかるように、樹脂一体成型されたハブ１と、３枚の羽根２１が樹脂一体成型された羽根体２とから構成されている。ハブ１は、図２〜図４から分かるように、円筒状の外壁部１１の内部に軸心に直角の内壁部１２を有し、この内壁部１２に軸受部１３が形成されている。そして、このハブ１の吸気側端面には内向きにドーナツ型壁部１４が形成され、このドーナツ型壁部１４と内壁部１２との間には、ドーナツ型壁部１４と内壁部と１２を連結するテーパ状の傾斜壁部１５が形成されている。また、ハブ１の円筒状の外壁部１１内における内壁部１２の排気側には、内壁部１２と円筒状の外壁部１１とを連結する複数のリブ１６が放射状に形成されている。このリブ１６は図１に示すように、１枚の羽根２１に対し２個配置されており、その内の１個は羽根２１の前縁２１ａ側の根元付近に結合されている。この部分は、羽根に対する空気力によるモーメントが最大となる部分となる。また、ハブ１は、強度を強くすることを考慮して、汎用プラスチックに補強添加材としてガラス繊維やマイカ（雲母）を入れた高強度な材料を使用する。または、更に強度が必要な場合は、ポリプチレンテフタレート（ＰＢＴ）等の汎用エンジニアリングプラスチック、所謂汎用エンプラが用いられている。
【００１８】
次に、羽根体２は、円筒状基部２２に対し複数（この場合３枚）の羽根２１が樹脂一体成形されたものである。円筒状基部２２の内径は、ハブ１が嵌入される大きさに形成されている。また、羽根体２は、円筒状基部２２の吸気側にハブ１のドーナツ型壁部１４の径方向の幅寸法と略同一の径方向の幅寸法を備えた内向き鍔状壁部２３を有し、さらに、この内向き鍔状壁部２３の内周側縁部からドーナツ型壁部１４の内周側に嵌り込むように排気側に折り返す折返壁部２４を有している。この折返壁部２４は、この実施の形態では下面がハブ１の傾斜壁部１５に沿うようにテーパ状に形成されている。なお、図１、図４及び図６（Ｃ）における矢印Ｒは羽根体２の回転方向を示している。また、羽根体２はハブに比し作用する力が小さいので、ポリプロピレン（ＰＰ）、ＡＳ樹脂（ＡＳ）などの汎用プラスチックまたはこれら材料に補強添加材として、ガラス繊維やマイカ（雲母）を混ぜた材料が使用されている。
【００１９】
上記のように構成されたハブ１及び羽根体２は、それぞれ別個の工程で樹脂一体成形された後、図６（ａ）に示すように、羽根体２の排気側からハブ１に被せられて、ハブ１が羽根体２の円筒状基部２２内に嵌入される。そして、両者は、ハブ１の円筒状の外壁部１１の外周面と羽根体２の円筒状基部２２の内周面との接触面、ハブ１のドーナツ型壁部１４と羽根体２の内向き鍔状壁部２３との接触面、及び、ハブ１の傾斜壁部１５と羽根体２の折返壁部２４との接触面が接着剤により接着されて、図６（ｂ）及び（ｃ）に示すように、両者一体に結合されている。なお、図６において（ｃ）は、図１と同一の平面図であって、（ｂ）の断面線を示すものである。
【００２０】
上記のように構成された羽根体２に作用する力は、図７の（ａ）に示されるような羽根体２の自重により発生する遠心力Ｆ１であり、ハブ１の円筒状の外壁部１１、羽根体２の円筒状基部２２などに対し径方向の力として作用する。したがって、ハブ１の円筒状の外壁部１１、羽根体２の円筒状基部２２にはこれに耐え得る強度が要求され、また、ハブ１と羽根体２との結合力もこれに耐え得る強度が要求される。なお、軸流ファンに作用する力はこのような径方向の力のみではなく、図７（ｂ）に示すように、送風運転中に羽根体に作用する空気力Ｆ２や停止中の風力による空気力Ｆ３などがあり、これらの空気力Ｆ２、Ｆ３は軸方向の成分を有するため、羽根の根元部に対してモーメントＭが作用している。したがって、ハブ１及び羽根体２には、このような空気力Ｆ２、Ｆ３及びモーメントＭに対しても耐え得る強度及び結合力が要求される。このような要求を満たすため、前記実施の形態１の場合と同様に、ハブ１の材料には汎用プラスチックに補強添加材としてガラス繊維やマイカ（雲母）を入れた高強度な材料を使用する。または、更に強度が必要な場合は、ポリプチレンテフタレート（ＰＢＴ）等の汎用エンジニアリングプラスチック、所謂汎用エンプラが用いられている。一方、羽根体２の材料としては、ポリプロピレン（ＰＰ）、ＡＳ樹脂（ＡＳ）などの汎用プラスチックまたはこれら材料に補強添加材として、ガラス繊維やマイカ（雲母）を混ぜた材料が使用されている。また、ハブ１と羽根体２との結合強度を強化するため、ハブ１と羽根体２との接触面積を増加させて接着による結合力を強化できるようにしている。また、遠心力Ｆ１などの径方向の力や軸方向の力を伴う空気力Ｆ２、Ｆ３、羽根２１の根元部に作用するモーメントＭに耐え得るようにハブ１の円筒状の外壁部１１を羽根体２の円筒状基部２２の内部に嵌める構造を取り、さらに、羽根体２の吸気側に内向き鍔状壁部２３及び折返壁部２４を形成し、この折返壁部２４をハブ１のドーナツ型壁部１４の内周側に嵌り込むように構成しているのである。
【００２１】
（実施の形態２）
次に、実施の形態２について、図面を参照しながら説明する。図８〜図１１は本発明の実施の形態２を説明するための図面であり、図８は実施の形態２に係る軸流ファンの吸気側から見た平面図であり、図９は同軸流ファンの吸気側から見た斜視図であり、図１０は同軸流ファンを構成するハブの吸気側から見た斜視図であり、図１１はハブと羽根体との結合部分の断面図であり、（ａ）は図８におけるＣ断面図であり、（ｂ）は図８におけるＤ断面図であり、（ｃ）は図８におけるＥ断面図である。なお、これら図面において実施の形態１と同一の要素には同一の符号を付し、その説明を簡略化する。
【００２２】
実施の形態２は、実施の形態１においてハブ１と羽根体２との結合部分の構造を変更したものである。実施の形態２においては、図８及び図１１に示すように、羽根体２の内向き鍔状壁部２３には、軸方向の円柱状のピン２５がドーナツ型壁部１４に向けて突出するように形成されている。このピン２５は一定半径の円周上に９個配置されている。一方、ハブ１のドーナツ型壁部１４には、このピン２５を嵌入させるためのピン孔１７が貫通状に形成されている。そして、ピン２５はピン孔１７を貫通している。実施の形態２はこのような構成を有するので、ハブ１と羽根体２との径方向の結合力が強化されている。また、このピン２５は、羽根体２の取付角度の位置決めに使用することができる。羽根体２の取付角度は、羽根２１からハブ１に作用する力が最大となる前縁２ａの根元部付近に１個のリブ１６が配置されるように定められる。
【００２３】
また、実施の形態２においては、図１１に示すように、羽根２１が円筒状基部２２に結合される根元部付近の、ハブ１の円筒状の外壁部１１の外周面と羽根体２の円筒状基部２２の内周面との間において、羽根体２の円筒状基部２２側には、周方向に螺旋階段状を成すように軸方向の突部２７が形成され、一方、ハブ１の円筒状の外壁部１１には、周方向に螺旋階段状を成すように、前記突部２７を嵌入させる溝部１８が形成され、突部２７が溝部１８に嵌入されて結合されている。実施の形態２におけるハブ１は、図１０に示す外観を有し、ハブ１の円筒状の外壁部１１の外周に、図示のような螺旋階段状の溝部１８が形成されている。また、突部２７と溝部１８とが螺旋階段状に形成されているため、図８におけるＣ、Ｄ、Ｅの各断面においては、図１１に示すように、前縁２ａ側に向かうにつれ突部２７と溝部１８の嵌合構造が下方に位置するようになる。実施の形態２はこのような構成を有するので、羽根体２とハブ１との径方向における結合力が向上し、羽根２１の重量による遠心力Ｆ１及び空気力Ｆ２、Ｆ３が羽根２１を介して根元部に作用するモーメントＭそれぞれに対しての結合力をさらに向上させることができる。なお、図８から図１１は、構造を説明するためのものであって実寸法を表したものではないので、突部２７及び溝部１８の径方向の厚みや軸方向の高さ寸法はこの図に囚われることなく適宜変更して実施することができる。
【００２４】
また、実施の形態２においては、ハブ１の排気側端縁の外側にＵ字状溝部１９が一体に形成されている。そして、羽根体２における円筒状基部２２の排気側端縁２８が吸気側からＵ字状溝部１９に嵌り込むように、羽根体２とハブ１とが結合されている。実施の形態２はこのような構成を有するので、羽根体２の円筒状基部２２の排気側端縁２８付近の径方向に対する結合力が向上し、羽根２の重量による遠心力Ｆ１及び空気力Ｆ２、Ｆ３が羽根２１を介して根元部に作用するモーメントＭそれぞれに対し効果を発揮することができる。
【００２５】
実施の形態１及び実施の形態２は以上の説明の通りであるが、本発明は、これら実施の形態において次のように変更して具体化することもできる。
（１）  実施の形態１及び２において、羽根体２は、３枚の羽根２１を有するものに限定されないことは言うまでもなく、２枚以上の複数枚の羽根２１を有するものにも適用できる。
【００２６】
（２）  本発明は、実施の形態１において、折返壁部２４を備えないもの、又は、内向き鍔状壁部２３及び折返壁部２４を備えないものとしても形成することができる。なおこの場合は、実施の形態１に記載のものと比較すれば結合力は低下する。
【００２７】
（３）  実施の形態１及び２において、リブ１６の個数を変更したり、リブ１６の形状を変更したり、リブ１６を廃止したりすることもできる。
（４）  実施の形態１においてハブ１及び羽根体２の樹脂材料を同一のものとしてもよい。また、この場合には、ハブ１と羽根体２とを接触面において接着剤により結合する代わりに、軸と直角方向の接触面に軸方向の押圧力を加えて樹脂溶着法により結合することができる。この場合の接触面としては、ハブ１のドーナツ型壁部１４と羽根体２の内向き鍔状壁部２３との接触面、及び、ハブ１の傾斜壁部１５と羽根体２の折返壁部２４との接触面を掲げることができる。また、樹脂溶着法としては、超音波溶着、振動溶着、熱板溶着、リベッティング法、レーザ溶着など掲げることができる。同様に、実施の形態２においても、ハブ及び羽根体２の樹脂材料を同一のものとし、ハブ１と羽根体２とを接触面において接着剤により接着する代わりに、軸と直角方向の接触面で軸方向の押圧力を加えて樹脂溶着法により結合することができる。この場合の接触面は、図１２におけるＰ１〜Ｐ４に示すような接触面である。すなわち、ハブ１のドーナツ型壁部１４と羽根体２の内向き鍔状壁部２３との接触面（Ｐ１、Ｐ２）、突部２７の先端面と溝部１８の底面との接触面（Ｐ３）、及び、羽根体２における円筒状基部２２の排気側端縁２８の先端面とハブ１の排気側端縁の外側にＵ字状溝部１９の底面との接触面（Ｐ４）である。
【００２８】
（５）  実施の形態２において、羽根体２の内向き鍔状壁部２３にピン２５が形成され、ハブ１のドーナツ型壁部１４にピン孔１７が形成されていたが、羽根体２の内向き鍔状壁部２３にピン孔を形成し、ハブ１のドーナツ型壁部１４にピンを形成するようにしてもよい。
【００２９】
（６）  実施の形態２において、羽根体２の内向き鍔状壁部２３に形成するピン２５は、円柱状に限らず他の形状のものでもよい。例えば、図１３に示すような円弧状のピン３５にしてもよい。この場合、ピン孔の形状を円弧状のピン３５の形状に合わせて変更しなければならないことは勿論である。また、ピン２５、３５の数量、配置なども適宜変更することができる。
【００３０】
（７）  実施の形態２において、羽根体２の内向き鍔状壁部２３からハブ１のドーナツ型壁部１４を貫通して突出するように形成されたピン２５の先端部を、加熱により押しつぶしてかしめ部２５ａを形成してもよい（図１４参照）。このように構成すれば、ハブ１と羽根体２とを軸方向に結合することができる。また、ハブ１と羽根体２とを異種材料とした場合に、樹脂溶着法が使用できないが、この方法で軸方向を結合することもできる。
【図面の簡単な説明】
【００３１】
【図１】本発明の実施の形態１に係る軸流ファンの吸気側から見た平面図である。
【図２】図１におけるＡ−Ａ断面図である。
【図３】同軸流ファンを構成する羽根体の吸気側から見た斜視図である。
【図４】同軸流ファンを構成するハブの吸気側から見た斜視図である。
【図５】同ハブの排気側から見た斜視図である。
【図６】同軸流ファンの組立要領説明図であり、（ａ）は羽根体とハブの組立直前の状態を示した断面図であり、（ｂ）は羽根体とハブの組立後の状態を示した断面図であって、（ｃ）におけるＢ−Ｂ断面図であり、（ｃ）は組立後の吸気側から見た平面図である。
【図７】同軸流ファンの羽根体に作用する力の方向を示したものであり、（ａ）は運転時における羽根体の遠心力の作用方向を示し、（ｂ）は羽根に作用する流体の圧力による空気力の作用方向を示す。
【図８】実施の形態２に係る軸流ファンの吸気側から見た平面図である。
【図９】同軸流ファンの吸気側から見た斜視図である。
【図１０】同軸流ファンを構成するハブの吸気側から見た斜視図である。
【図１１】ハブと羽根体との結合部分の断面図であり、（ａ）は図８におけるＣ断面図であり、（ｂ）は図８におけるＤ断面図であり、（ｃ）は図８におけるＥ断面図である。
【図１２】本発明の実施の形態２における接着剤による接着に代わり、樹脂溶着法による接着を行う場合のハブと羽根体と接着位置を図示した図である。
【図１３】本発明の実施の形態２におけるピンの変形例を示した図である。
【図１４】本発明の実施の形態２におけるピンの固定方法についての変形例を示した図である。
【符号の説明】
【００３２】
１  ハブ
２  羽根体
１２  内壁部
１３  軸受部
１４  ドーナツ型壁部
１６  リブ
１７  ピン孔
１８  溝部
１９  Ｕ字状溝部
２１  羽根
２２  円筒状基部（筒状基部）
２３  内向き鍔状壁部
２４  折返壁部
２５  ピン
２５ａ  カシメ部
２７  突部
２８  排気側端縁
３５  ピン
【図１】
2006161757.tif 000003
【図２】
2006161757.tif 000004
【図３】
2006161757.tif 000005
【図４】
2006161757.tif 000006
【図５】
2006161757.tif 000007
【図６】
2006161757.tif 000008
【図７】
2006161757.tif 000009
【図８】
2006161757.tif 000010
【図９】
2006161757.tif 000011
【図１０】
2006161757.tif 000012
【図１１】
2006161757.tif 000013
【図１２】
2006161757.tif 000014
【図１３】
2006161757.tif 000015
【図１４】
2006161757.tif 000016